(57)【要約】【課題】手摺を撤去して開放した状態の原子力発電所における使用済燃料プール、気水分離器等貯蔵プールを連設した原子炉、その他の各種設備の周囲に、代替手段としての安全対策用の安全ロープを配置するに際し、当該安全ロープを弛緩させずに、緊張した状態を常時維持させて、作業員が誤って転落してしまう事態の発生を回避することにより、各種の作業を安全に実施することができる、原子力発電所の使用済燃料プール等の各種設備における安全ロープの緊張設置方法を提供する。【解決手段】本発明に係る本発明に係る原子力発電所の使用済燃料プール等の各種設備における安全ロープの緊張設置方法は、原子力発電所の使用済燃料プール等の各種設備の周囲に、所定間隔毎にポールを立設する工程と、該ポールのそれぞれの上端に付設されている各リングに安全ロープを挿入する工程と、挿入後の安全ロープの一端側を固定する工程と、安全ロープの他端側を逆行防止用の緊張機を介して収納用リールに巻き取る工程との、組み合わせを特徴としている。【選択図】図２
2009128072.tif 000002
【特許請求の範囲】
【請求項１】
原子力発電所の使用済燃料プール等の各種設備の周囲に、所定間隔毎にポールを立設する工程と、該ポールのそれぞれの上端に付設されている各リングに安全ロープを挿入する工程と、挿入後の安全ロープの一端側を固定する工程と、安全ロープの他端側を逆行防止用の緊張機を介して収納用リールに巻き取る工程との、組み合わせを特徴とした、原子力発電所の使用済燃料プール等の各種設備における安全ロープの緊張設置方法。
【請求項２】
原子力発電所の使用済燃料プール等の各種設備の両側床面上に設けられた一対の移動用レール上で停止している燃料取替機に、安全ロープの一端側を固定する工程と、安全ロープの他端側を逆行防止用の緊張機を介して収納用リールに巻き取る工程との、組み合わせを特徴とした、原子力発電所の使用済燃料プール等の各種設備における安全ロープの緊張設置方法。
【発明の詳細な説明】
【技術分野】
【０００１】
本発明は、例えば、原子力発電所における使用済燃料プール、気水分離器等貯蔵プールや、その他の各種設備の周囲に、安全ロープを常に緊張状態を維持しながら張設するための、原子力発電所の使用済燃料プール等の各種設備における安全ロープの緊張設置方法に関するものである。
【背景技術】
【０００２】
従来より、原子力発電所の設備は、図８に示すように、中央の原子炉Ｑを介して、一端側に気水分離器等貯蔵プールを設け、他端側に使用済燃料プールＰを設けている。
【０００３】
また、図１・図６に示すように、原子力発電所における使用済燃料プールＰ、気水分離器等貯蔵プールを連設した原子炉Ｑ、その他の廻りには、作業員の人身の安全を考慮して、例えば、一般的な曲げ加工を施したパイプ構造の手摺Ｌが並置されている。
【０００４】
さらに、図９（ａ）に示すように、これら気水分離器等貯蔵プール、原子炉Ｑ、使用済燃料プールＰのそれぞれに沿って、両側に一対の移動用レールＲが設けられ、この移動用レールＲには燃料取替機Ｔが乗せられ、気水分離器等貯蔵プール、原子炉Ｑ、使用済燃料プールＰそれぞれの上を移動可能としている。
【０００５】
この燃料取替機Ｔの中央側面には、図９（ｂ）に示すように、左右に移動可能で且つ昇降自在となった燃料取扱部Ｖが設けられ、この燃料取扱部Ｖを介して、原子炉Ｑ内の炉心から照射された燃料を引き上げ、使用済燃料プールＰ側に移動させてから、当該使用済燃料プールＰ内に照射された燃料を降ろして保管している。
【０００６】
一方、この燃料取扱部Ｖを介して、使用済燃料プールＰ内から再使用燃料並びに新燃料を引き上げ、原子炉Ｑ側に移動させてから、当該原子炉Ｑ内に再使用燃料並びに新燃料を降ろして炉心へセットしている。
【特許文献１】特になし
【発明の開示】
【発明が解決しようとする課題】
【０００７】
この従来の手摺Ｌは、作業員の人身の安全を考慮して設置されるものであるが、作業によっては撤去される場合がある。
【０００８】
例えば、燃料取扱部Ｖを介して燃料を取り替える際に、燃料取替機Ｔが移動用レールＲに沿って移動するが、このとき手摺Ｌと燃料取替機Ｔが干渉するため、手摺Ｌを撤去する必要が生じるものである。
【０００９】
その後、手摺Ｌを撤去した状態で作業を行うと、気水分離器等貯蔵プール、原子炉Ｑ、使用済燃料プールＰ内への転落等の危険を防ぐ措置が全くなくなってしまう。
【００１０】
このため、手摺Ｌの代替手段として、気水分離器等貯蔵プール、原子炉Ｑ、使用済燃料プールＰ等の廻りに所定間隔毎に設置される複数のポール３２を介して、安全ロープ３１を張る必要があるが、このとき、安全ロープ３１は自重によって各ポール３２間で弛緩した状態で設置されることから、安全対策を施しても作業員が誤って転落してしまう危険性がある。
【００１１】
しかも、この弛緩した安全ロープ３１について、緊張した状態を維持するためには、作業員が安全ロープ３１の一端側から直接手で強制的に固定させる必要があるが、設置されている安全ロープ３１が長い場合においては、このような作業が非常に困難なものとなる。
【００１２】
そこで、本発明は如上のような従来存した諸事情に鑑み創出されたもので、手摺を撤去して開放した状態の原子力発電所における使用済燃料プール、気水分離器等貯蔵プールを連設した原子炉、その他の各種設備の周囲に、代替手段としての安全対策用の安全ロープを配置するに際し、当該安全ロープを弛緩させずに、緊張した状態を常時維持させて、作業員が誤って転落してしまう事態の発生を回避することにより、各種の作業を安全に実施することができる、原子力発電所の使用済燃料プール等の各種設備における安全ロープの緊張設置方法を提供することを目的とする。
【課題を解決するための手段】
【００１３】
本発明に係る原子力発電所の使用済燃料プール等の各種設備における安全ロープの緊張設置方法は、原子力発電所の使用済燃料プール等の各種設備の周囲に、所定間隔毎にポールを立設する工程と、該ポールのそれぞれの上端に付設されている各リングに安全ロープを挿入する工程と、挿入後の安全ロープの一端側を固定する工程と、安全ロープの他端側を逆行防止用の緊張機を介して収納用リールに巻き取る工程との、組み合わせを特徴としたことにより、上述した課題を解決した。
【００１４】
また、原子力発電所の使用済燃料プール等の各種設備の両側床面上に設けられた一対の移動用レール上で停止している燃料取替機に、安全ロープの一端側を固定する工程と、安全ロープの他端側を逆行防止用の緊張機を介して収納用リールに巻き取る工程との、組み合わせを特徴としたことにより、同じく、上述した課題を解決した。
【発明の効果】
【００１５】
本発明によれば、手摺を撤去して開放した状態の原子力発電所における使用済燃料プール、気水分離器等貯蔵プールを連設した原子炉、その他の各種設備の周囲に、代替手段としての安全対策用の安全ロープを配置するに際し、当該安全ロープを弛緩させずに、緊張した状態を常時維持させて、作業員が誤って転落する事態の発生を回避することにより、原子力発電所の使用済燃料プール等の各種設備における各種の作業を安全に実施することできる。
【００１６】
すなわち、本発明は、原子力発電所の使用済燃料プール等の各種設備の周囲に、所定間隔毎にポールを立設する工程と、該ポールそれぞれの上端に付設されている各リングに安全ロープを挿入する工程とを有するので、手摺を撤去して開放した状態の各種設備の周囲全体を、代替手段である安全対策用の安全ロープで容易に区画して、作業員が誤って転落する事態の発生を阻止することができる。
【００１７】
また、前記構成に加えて、挿入後の安全ロープの一端側を固定する工程と、安全ロープの他端側を逆行防止用の緊張機を介して収納用リールに巻き取る工程を有するので、安全対策用の安全ロープを各種設備周囲におけるポールに常に緊張させた状態に設置することができる。しかも、これらの解体撤去も容易に行える。
【００１８】
さらに、原子力発電所の使用済燃料プール等の各種設備の両側床面上に設けられた一対の移動用レール上で停止している燃料取替機に、安全ロープの一端側を固定する工程と、安全ロープの他端側を逆行防止用の緊張機を介して収納用リールに巻き取る工程からなり、作業を行っていない場合においても、部分的に開口部となっている箇所を常時区画することができる。そして、安全ロープの撤去も容易に行える。
【発明を実施するための最良の形態】
【００１９】
以下に、本発明を実施するための最良の形態を、図面を参照して説明する。
【００２０】
本発明に係る原子力発電所の使用済燃料プールＰ等の各種設備における安全ロープの緊張設置方法は、手摺Ｌを撤去した状態の、例えば、原子力発電所における使用済燃料プールＰ、気水分離器等貯蔵プールを連設した原子炉、その他の各種設備の周囲の所定間隔毎に、ポール３２を、例えば、後述する可倒式手摺１ａのブラケット可動部１１を介して立設する工程と、該ポール３２それぞれの上端に付設されている各リング３２ａに安全ロープ３１を挿入する工程と、挿入後の安全ロープ３１の一端側を不図示のカナル部における最端側のポール３２上端のリング３２ａに不図示のフックを介して固定する工程と、安全ロープ３１の他端側を逆行防止用の緊張機３３を介して収納用リール３４に巻き取る工程とからなる。
【００２１】
原子力発電所の設備は、図１に示すように、中央の原子炉Ｑを介して、一端側に気水分離器等貯蔵プールを設け、他端側に使用済燃料プールＰが設けられている。また、図９（ａ）に示すように、これら原子炉Ｑ、使用済燃料プールＰのそれぞれに沿って、両側に一対の移動用レールＲが設けられ、この移動用レールＲには、例えば、低床式の燃料取替機Ｔが乗せられ、原子炉Ｑ、使用済燃料プールＰのそれぞれの上を移動可能としている。
【００２２】
この燃料取替機Ｔの中央側面には、図９（ｂ）に示すように、左右に移動可能で且つ昇降自在となった燃料取扱部Ｖが設けられ、この燃料取扱部Ｖを介して、原子炉Ｑ内の炉心から照射された燃料を引き上げ、使用済燃料プールＰ側に移動させてから当該使用済燃料プールＰ内に照射された燃料を降ろして保管したり、或いは、この燃料取扱部Ｖを介して、使用済燃料プールＰ内から再使用燃料並びに新燃料を引き上げ、原子炉Ｑ側に移動させてから当該原子炉Ｑ内に再使用燃料並びに新燃料を降ろして炉心へセットする等の、種々の作業が行えるように構成されている。
【００２３】
手摺Ｌとしては、図１に示すように、使用済燃料プールＰの廻りに設置される可倒式手摺１ａ、取外式手摺１ｂ、固定式手摺１ｃのそれぞれの３種によって構成されている。
【００２４】
また、低床式の燃料取替機Ｔの下端は、燃料取替床面と高さ方向が略同レベルであり、作業の都度、高さ約１ｍ程度の手摺Ｌの取り外しが必要となるため、その場で手摺Ｌを倒せる構造にすることで、燃料取替作業等の各作業時間の短縮と作業者の負担軽減が図れるようにしている。
【００２５】
例えば、低床式の燃料取替機Ｔが設置されている使用済燃料プールＰの一端側には、燃料取替機Ｔの移動による使用済燃料プールＰでの作業のために可倒式手摺１ａを採用し、その他の使用済燃料プールＰの廻りには取外式手摺１ｂ、固定式手摺１ｃがそれぞれ設置される。このとき、前記燃料取替機Ｔの移動用レールＲは、固定式手摺１ｃと、可倒式手摺１ａおよび取外式手摺１ｂとの間に配置される。
【００２６】
具体的には、この可倒式手摺１ａは、図６に示すように、手摺枠２の左右両端側から下方に延設した両脚部３が、使用済燃料プールＰの周縁にベース部４を介して設置されたブラケット可動部１１によってそれぞれ支持されている。
【００２７】
このブラケット可動部１１に対して手摺枠２を床面側に傾倒する場合には、図７に示すように、先ずブラケット可動部１１に備えている下部側蝶ボルトを緩めておき、手摺枠２を上側に約３ｃｍ程度引き上げることで、手摺枠２自体を一端方向に折り畳み可能となるようにしている。
【００２８】
そして、安全ロープ３１を設置する場合には、手摺Ｌを撤去してから原子炉Ｑ、使用済燃料プールＰ等の各種設備周囲のベース部４の所定間隔毎に、図３（ａ）乃至（ｃ）に示すポール３２を、略Ｌ字片状の固定部材３２ｂを介して立設し、該ポール３２それぞれの上端に付設されている各リング３２ａに安全ロープ３１を挿入する。
【００２９】
また、ポール３２の設置に対し、可倒式手摺１ａのブラケット可動部１１を代替させることができる。この場合には、図２に示すように、ブラケット可動部１１から手摺枠２を撤去し、これに替わってポール３２が取り付けられるのであり、これによって、手摺枠２を撤去した状態の使用済燃料プールＰの廻りを代替装置の安全ロープ３１で区画できるようにしている。
【００３０】
すなわち、前記ブラケット可動部１１から手摺枠２を撤去し、該ブラケット可動部１１を介して、使用済燃料プールＰの廻りに沿って等間隔毎にポール３２を立設させるようにしている。このとき、図２に示すように、不要である位置のポール３２は、ブラケット可動部１１によって傾倒させておけば良い。
【００３１】
そして、これらのポール３２上端の各リング３２ａに安全ロープ３１を挿入し、該安全ロープ３１の一端側が不図示のカナル部まで到達したら最後のポール３２上端のリング３２ａにフックを介して取り付けた後、安全ロープ３１の他端側を、図４に示す緊張機３３および図５に示すロックピン３４ａ付きの収納用リール３４のそれぞれに取り付けるようにしている。
【００３２】
尚、この収納用リール３４は、取付ベース３４ｂに対して回転可能に枢着され、前記ロックピン３４ａは、金属紐を介して取付ベース３４ｂに取り付けられている。また、取付ベース３４ｂ自体は、蝶ボルト等で不動部に固定されるようにしている。
【００３３】
緊張機３３は、図４に示すように、前後一対の揺動リンク部材１８，１９を介して、下方の支持部２０に対し、前後方向に揺動可能な保持パイプ２１を備えている。この支持部２０の一端にはガイドローラＳが回転可能に枢着され、且つその外側からは連結片を介して、カラビナＫが取り付けられている。このとき、支持部２０は、揺動リンク部材１８，１９をボルトとナットにより回動可能に保持するため、所定の孔を備えた２枚の挟持板により形成されている。
【００３４】
保持パイプ２１の内部に臨ませた揺動リンク部材１８，１９の不図示の歯部が、保持パイプ２１の揺動に伴って、傾斜状態から直立状態になると、保持パイプ２１の上方内壁部と歯部との間に空間が形成される。
【００３５】
そのため、安全ロープ３１を保持パイプ２１の内部に挿入すると、当該安全ロープ３１は歯部に一旦係止されて、保持パイプ２１自体を支持部２０に対して前方側へ移動させる。これと同時に、保持パイプ２１の上方内壁部と歯部との間に空間が形成され、安全ロープ３１は円滑に挿入方向へ移動できる。
【００３６】
一方、安全ロープ３１を、挿入方向と反対に引っ張って保持パイプ２１から引き抜こうとすると、保持パイプ２１が支持部２０に対して後方側へ移動すると同時に、保持パイプ２１の上方内壁部と歯部との間の空間が狭くなるので、安全ロープ３１が挟み込まれてその移動が阻止される。
【００３７】
従って、安全ロープ３１の端部を保持パイプ２１に挿入している最中に、安全ロープ３１を挿入方向と反対に引っ張る逆方向の力が作用すると、安全ロープ３１の移動が阻止されるのである。
【００３８】
そして、安全ロープ３１の不図示のフックをポール３２上端の各リング３２ａに順次挿通して行き、不図示のカナル部まで到達したら最後のポール３２上端のリング３２ａにフックを取り付けた後、緊張機３３で安全ロープ３１を張りが出るまで牽引し、ハンドルＨを介して収納用リール３４を回転させることで、余った安全ロープ３１を収納用リール３４に巻き取り、ロックピン３４ａをセットする。
【００３９】
また、安全ロープ３１を取り外す場合には、緊張機３３の揺動リンク部材１８，１９を開放して安全ロープ３１をフリーな状態にしておき、ハンドルＨを介して収納用リール３４を回転させることで、安全ロープ３１を収納用リール３４に巻き取った後、ブラケット可動部１１により可倒式ポール３２をカーブライナーに沿って横倒させる。
【００４０】
次に、以上のように構成された本発明の最良の形態について、組立、使用、動作の一例を説明する。
【００４１】
先ず、図１に示すように、通常設置状態においては、例えば、低床式燃料取替機Ｔが設置されている使用済燃料プールＰの一端側に、作業のための可倒式手摺１ａを設置し、その他の使用済燃料プールＰの廻りには取外式手摺１ｂ、固定式手摺１ｃのそれぞれを設置する。
【００４２】
燃料取替機Ｔを使用する場合、先ず、取外式手摺１ｂを不図示のブラケット部から取り外し、燃料取替機Ｔの走行に支障を来さない場所へ移動して仮置きする。
【００４３】
次に、可倒式手摺１ａの倒し操作準備を行う。このとき、ブラケット可動部１１における固定用の下部側蝶ボルトを緩めてから、手摺枠２を若干上方へ引き上げて手前に倒すと、手摺枠２自体が横倒しされる（図７参照）。
【００４４】
そして、安全ロープ３１を取り外して燃料取替機Ｔを移動する。このとき、カラビナＫを介して不動部に取り付けられている緊張機３３への挿入方向に安全ロープ３１が移動するように、ハンドルＨを介して収納用リール３４を回転させることで、安全ロープ３１を収納用リール３４に巻き取る。その後、ブラケット可動部１１によりポール３２をカーブライナーに沿って横倒しさせておく。
【００４５】
燃料取替機Ｔの移動完了後、安全対策用の安全ロープ３１を使用済燃料プールＰの廻りに設置する。このとき、緊張機３３の揺動リンク部材１８，１９を開放して安全ロープ３１をフリーな状態にしておき、ロックピン３４ａを外してある収納用リール３４から安全ロープ３１を引き伸ばして行く。
【００４６】
そして、図２に示すように、安全ロープ３１の不図示のフックをポール３２上端の各リング３２ａに順次挿通して行き、不図示のカナル部まで到達したら最後のポール３２上端のリング３２ａにフックを取り付けた後、緊張機３３で安全ロープ３１を張りが出るまで牽引し、ハンドルＨを介して収納用リール３４を回転させ、余った安全ロープ３１を収納用リール３４に巻き取り、ロックピン３４ａをセットする。
【００４７】
また、本発明に係る安全ロープの緊張設置方法の他の例として、安全ロープ３１の一端側を、使用済燃料プールＰ等の各種設備の両側床面上に設けられた一対の移動用レールＲ上で停止している燃料取替機Ｔに固定し、安全ロープ３１の他端側の不動部に設けられた逆行防止用の緊張機３３を介して収納用リール３４に巻き取るようにしても良い。
【産業上の利用可能性】
【００４８】
本発明に係る原子力発電所の使用済燃料プール等の各種設備における安全ロープの緊張設置方法は、原子力発電所における気水分離器等貯蔵プールや、使用済燃料プール以外の、各種設備の廻りに安全ロープを張るための種々の緊張設置方法として、幅広く利用することができる。
【図面の簡単な説明】
【００４９】
【図１】使用済燃料プールの廻りに、可倒式手摺、取外式手摺、固定式手摺のそれぞれを設置した状態の斜視図である。
【図２】安全ロープの取付状態を示す斜視図である。
【図３】ポールの一例を示し、（ａ）は正面図、（ｂ）は側面図、（ｃ）は平面図である。
【図４】緊張機の一例を示す側面図である。
【図５】収納用リールの一例を示す正面図である。
【図６】可倒式手摺の具体的構成の一例を示すもので、ブラケット可動部を介して可倒式手摺を起立した状態の一部省略の斜視図である。
【図７】可倒式手摺の具体的構成の一例を示すもので、ブラケット可動部を介して可倒式手摺を傾倒した状態の一部省略の斜視図である。
【図８】従来例における手摺の設置状態を示す斜視図である。
【図９】従来例における使用済燃料の取替作業の一例を示し、（ａ）は気水分離器等貯蔵プール、原子炉、使用済燃料プールのそれぞれに沿って、両側に一対の移動用レールが設けられている状態を示す平面図、（ｂ）は移動用レールを介して移動可能に設置されている燃料取替機の一例を示す平面図である。
【符号の説明】
【００５０】
Ｐ…使用済燃料プール
Ｑ…原子炉
Ｔ…燃料取替機
Ｖ…燃料取扱部
Ｒ…移動用レール
Ｌ…手摺
Ｋ…カラビナ
Ｓ…ガイドローラ
Ｈ…ハンドル
１ａ…可倒式手摺
１ｂ…取外式手摺
１ｃ…固定式手摺
２…手摺枠
３…脚部
４…ベース部
１１…ブラケット可動部
１８…揺動リンク部材
１９…揺動リンク部材
２０…支持部
２１…保持パイプ
３１…安全ロープ
３２…ポール
３２ａ…リング
３２ｂ…固定部材
３３…緊張機
３４…収納用リール
３４ａ…ロックピン
３４ｂ…取付ベース
【図１】
2009128072.tif 000003
【図２】
2009128072.tif 000004
【図３】
2009128072.tif 000005
【図４】
2009128072.tif 000006
【図５】
2009128072.tif 000007
【図６】
2009128072.tif 000008
【図７】
2009128072.tif 000009
【図８】
2009128072.tif 000010
【図９】
2009128072.tif 000011